(57)【要約】      （修正有）【課題】洗浄作業の効率化及び洗浄効果の向上を図れる洗浄装置を提供する。【解決手段】洗浄装置１は、回転軸２３と回転軸２３の中央部に同軸的に固定された水車２４、及び回転軸２３上の水車２４を挟んだ両側にそれぞれ固定された一対の回転ブラシ２５、２６を備えた回転洗浄体２０と、回転洗浄体２０の回転軸２３を回転自在に支持する軸受部２９を両側の腕部２１ａ、２１ｂに備えたフレームと、先端側の開口２２ｃから洗浄水が放出されるノズル２２ａ、及び前記開口２２ｃを水車２４に向けてノズル２２ａをフレーム上に保持する保持部材２２ｂを備えたノズル保持体２２と、を有する。【選択図】図２
0003151619.tif 000002
【実用新案登録請求の範囲】
【請求項１】
回転軸と、前記回転軸の中央部に同軸的に固定された水車と、前記回転軸の両端部を露出させるようにして前記回転軸上の前記水車を挟んだ両側にそれぞれ固定された一対の回転ブラシと、を備えた回転洗浄体と、
前記回転洗浄体の前記回転軸をその両端部を介して回転自在に支持する軸受部を両側の腕部に備えたフレームと、
先端側の開口から洗浄水が放出されるノズルと、前記水車に前記開口を向けて前記ノズルを前記フレーム上に保持する保持部材と、を備えたノズル保持体と、
を具備することを特徴とする洗浄装置。
【請求項２】
前記ノズルの基端部側には、前記洗浄水の供給路を内部に備える管状の把手部が連結されている、
ことを特徴とする請求項１記載の洗浄装置。
【請求項３】
前記水車及び前記一対の回転ブラシをそれぞれ部分的に覆う洗浄水飛散防止用のカバー部材、
をさらにを具備することを特徴とする請求項１又は２記載の洗浄装置。
【請求項４】
水道ホースを前記把手部の基端部側に接続する第１のホース接続機構と、
洗浄薬液供給用のホースを前記把手部の中間部分に接続する第２のホース接続機構と、
をさらにを具備することを特徴とする請求項２又は３記載の洗浄装置。
【考案の詳細な説明】
【技術分野】
【０００１】
本考案は、例えばバスや鉄道車両の窓ガラスなどを洗浄する際に使用される洗浄装置に関する。
【背景技術】
【０００２】
従来、鉄道車両の側面の洗浄は、例えば複数の洗浄ブラシを設置したトンネル内に対して鉄道車両自体を通過させることなどによって行われていた（例えば特許文献１参照）。
【０００３】
また、鉄道車両における先頭車両の前面は、大きく湾曲しているなど、複雑な形状を有する場合が多い。このため、先頭車両の前面は、作業者が洗浄ブラシを使用して人為的に洗浄することがある。具体的には、作業者は、洗浄ブラシを先端に取り付けた長尺の把手などを両手で支えつつ洗浄作業を行う。しかしながら、この洗浄作業には、ある程度熟練された把手の操作や比較的大きな労力を必要とする。
【０００４】
そこで、レール上を走行可能な台車上にクレーン装置を設置し、さらにこのクレーン装置側から延びる長尺管の先端に設けた洗浄ブラシによって、先頭車両の前面を効率的に洗浄できるようにした車体洗浄装置が提案されている（例えば特許文献２参照）。
【先行技術文献】
【特許文献】
【０００５】
【特許文献１】実開平５−６７５６６号公報
【特許文献２】特許第３８３７４０８号公報
【考案の概要】
【考案が解決しようとする課題】
【０００６】
しかしながら、クレーン装置を利用する上述した車体洗浄装置は、装置全体の構成が大掛りになる他、その重量も大きくなる。このため、台車を含む車体洗浄装置全体を、レール上に設置する作業やレール上から取り外す際の作業が困難となる。また、上記の車体洗浄装置では、この車体洗浄装置自体を設置するための作業、すなわち、洗浄作業を実際に開始するまでの準備に、多くの時間を要することから、一連の洗浄作業を効率的に行えないという点で課題を抱えている。
【０００７】
本考案は、このような課題を解決するためになされたものであり、一連の洗浄作業を効率的に行えるとともに、優れた洗浄効果を期待できる洗浄装置の提供を目的とする。
【課題を解決するための手段】
【０００８】
上記目的を達成するために、本考案に係る洗浄装置は、回転軸、及び前記回転軸の中央部に同軸的に固定された水車、及び前記回転軸の両端部を露出させるようにして前記回転軸上の前記水車を挟んだ両側にそれぞれ固定された一対の回転ブラシ、を備えた回転洗浄体と、前記回転洗浄体の前記回転軸をその両端部を介して回転自在に支持する軸受部を両側の腕部に備えたフレームと、先端側の開口から洗浄水が放出されるノズル、及び前記水車に前記開口を向けて前記ノズルを前記フレーム上に保持する保持部材、を備えたノズル保持体と、を具備することを特徴とする。
【０００９】
本考案の洗浄装置では、回転洗浄体の水車に向けてノズルから放出される洗浄水によって、一対の回転ブラシを備える回転洗浄体を回転駆動させることができる。したがって、本考案の洗浄装置によれば、例えば鉄道車両の窓ガラスに駆動中の回転洗浄体における各回転ブラシを接触させることで、窓ガラス表面に洗浄水を供給しながら各回転ブラシをこの窓ガラス上で摺動させることができ、これにより、効率的な洗浄作業を行うことができる。
【００１０】
また、本考案の洗浄装置では、各回転ブラシ共通の駆動源となる水車が、各回転ブラシの間に配置される構造を適用しているので、個々の回転ブラシにバランス良く駆動力が伝達され、優れた洗浄効果を期待できる。
【００１１】
ここで、本考案の洗浄装置において、前記洗浄水の供給路を内部に備える管状の把手部をノズルの基端部側に連結させ、洗浄作業の際にこの把手部を作業者の手で保持させるようにしてもよい。
【００１２】
また、本考案の洗浄装置では、水車及び一対の回転ブラシをそれぞれ部分的に覆う洗浄水飛散防止用のカバー部材を設けてもよい。この場合、洗浄装置を扱う作業者側や洗浄対象でない部位に洗浄水が飛散してしまうことなどを抑制することが可能である。
【００１３】
さらに、本考案の洗浄装置は、水道ホースを把手部の基端部側に接続する第１のホース接続機構と、洗浄薬液供給用のホースを把手部の中間部分に接続する第２のホース接続機構と、を備えるものであってもよい。これにより、洗浄水として水道水若しくは洗浄用の薬液を個別に適用することや、また、水道水に洗浄用の薬液を混入したものを洗浄水として適用することが可能となる。
【考案の効果】
【００１４】
本考案によれば、一連の洗浄作業を効率的に行えるとともに、優れた洗浄効果を期待できる洗浄装置を提供することが可能である。
【図面の簡単な説明】
【００１５】
【図１】本考案の実施形態に係る洗浄装置の構成を示す正面図。
【図２】図１の洗浄装置が備えるブラシユニットを正面方向からみた断面図。
【図３】図２に示すブラシユニットの側面図。
【考案を実施するための形態】
【００１６】
以下、本考案を実施するための形態を図面に基づき説明する。
本実施形態の洗浄装置は、バスの窓ガラスや鉄道車両における先頭車両の窓ガラスなどを人為的に洗浄する際に使用される。すなわち、図１に示すように、洗浄装置１は、洗浄水の供給路を内部に備える管状に形成された長尺の把手部（取っ手部）３と、この把手部３の先端部側に設けられたブラシユニット５とを主に備えている。
【００１７】
把手部３は、アルミニウム管やプラスチック管などの比較的軽量な管材で構成されている。図１に示すように、把手部３の基端部側には、第１のホース接続機構として機能する水道ホース接続機構７が設けられている。この水道ホース接続機構７を介して水道ホース８が、把手部３の基端部側に接続されている。水道ホース８は、水道水を把手部３の基端部側から把手部本体内を通してその先端部側（ブラシユニット５側）へ供給するために接続されている。
【００１８】
一方、把手部３の中間部分には、図１に示すように、第２のホース接続機構として機能する薬液供給ホース接続機構９が設けられている。この薬液供給ホース接続機構９を介して洗浄薬液供給用のホース１０（の先端部側）が、把手部３の中間部分に接続されている。洗浄薬液供給用のホース１０は、洗浄用の薬液を、把手部３の中間部分の内部を通して当該把手部３の先端部側（ブラシユニット５側）へ供給するために接続されている。さらに、洗浄薬液供給用のホース１０の基端部側は、把手部３側へ供給される洗浄用の薬液を収容した洗浄薬液収容タンク１２と接続されている。
【００１９】
ここで、上述した薬液供給ホース接続機構９は、分岐管１４とストップバルブ（開閉栓）１５とを有する。分岐管１４は、管状の把手部３を中間部分から分岐させるようにして設けられており、洗浄薬液供給用のホース１０の先端部側が直接的に接続されている。ストップバルブ１５は、分岐管１４上に設けられており、把手部３本体側への洗浄用の薬液の供給又は供給停止を切替操作するための開閉栓である。
【００２０】
また、図１に示すように、分岐管１４を把手部３本体に合流させている部分には、洗浄水切替機構１６が設けられている。この洗浄水切替機構１６は、水道ホース８側からの水道水及び洗浄薬液収容タンク１２側からの洗浄用の薬液のうち、いずれか又は両方をブラシユニット５側へ選択的に供給することを可能にする。さらに、この洗浄水切替機構１６は、水道水と洗浄用の薬液との混入の割合を調整する調整機構も備えている。このような洗浄水切替機構１６を備えることで、ブラシユニット５側へ供給される洗浄水として、水道水と洗浄用の薬液とを個別に適用することや、また、水道水と洗浄用の薬液とを混合させた洗浄水を適用することが可能となる。
【００２１】
次に、本実施形態の洗浄装置１が備えるブラシユニット５の構造を、上述した図１に加え、図２、図３に基づき詳述する。ブラシユニット５は、図１に示すように、ブラシユニット接続機構１８を介して、把手部３の先端部側に接続されている。水道ホース８側からの水道水や、洗浄薬液収容タンク１２側からの洗浄用の薬液は、把手部３の内部（供給路）及びブラシユニット接続機構１８の内部を通ってブラシユニット５側に洗浄水として供給される。
【００２２】
具体的には、ブラシユニット５は、図２及び図３に示すように、回転洗浄体２０と、当該ブラシユニット５のフレームとなるケーシング２１と、ノズル保持体２２と、洗浄水飛散防止用のカバー部材である飛散防止カバー３０と、を主に備えている。上記回転洗浄体２０には、回転軸２３と、水車（羽根車）２４と、一対の回転ブラシ２５、２６と、が設けられている。
【００２３】
回転軸２３は、例えばＳＵＳ３０４などのステンレス鋼で形成されている。水車２４は、回転軸２３と同様に、ＳＵＳ３０４などのステンレス鋼を材料として構成されている。また、水車２４は、図２、図３に示すように、回転軸２３の中央部に同軸的に固定されており、水車本体の軸心部分から放射状に延びる例えば八枚の羽根部２４ａを有する。
【００２４】
一対の回転ブラシ２５、２６は、ポリプロピレン製の線材などを適用し、図２、図３に示すように、それぞれ円筒状に構成されている。これら一対の回転ブラシ２５、２６は、回転軸２３の両端部２３ａ、２３ｂを露出させるようにして、回転軸２３上の水車２４を（軸方向から）挟んだ両側にそれぞれ固定されている。このような円筒状の各回転ブラシ２５、２６と水車２４とは、回転軸２３に対してそれぞれ同軸的に固定されている。
【００２５】
ケーシング２１は、図２に示すように、例えばアルミニウム製の板材をほぼ断面コの字状に加工成形することによって構成されている。このケーシング２１の両側の腕部２１ａ、２１ｂには、回転洗浄体２０の回転軸２３をその各端部２３ａ、２３ｂを介して回転自在に支持する一対の軸受部２９が設けられている。これらの軸受部２９は、ベアリング２７及びアルミニウム製の軸受フランジ２８などから構成される。さらに、ケーシング２１には、図３に示すように、洗浄水飛散防止用のカバー部材となる飛散防止カバー３０が固定されている。
【００２６】
ノズル保持体２２は、図２に示すように、先端側の開口２２ｃから洗浄水が放出されるノズル２２ａと、水車２４に前記開口２２ｃを向けて上記ノズル２２ａをケーシング２１上に保持（固定）する保持部材２２ｂと、を備えている。また、ノズル２２ａの基端部側には、洗浄水の供給路を内部に備える管状の把手部３が、ブラシユニット接続機構１８を介して連結されている。
【００２７】
すなわち、回転軸２３上に同軸的に固定された水車２４及び一対の回転ブラシ２５、２６を備える回転洗浄体２０は、ノズル２２ａから放出される洗浄水の水流Ｗにより水車２４に回転力が付与されることで、構造体全体が一体で回転することになる。
【００２８】
飛散防止カバー３０は、回転軸２３上に同軸的に固定された回転ブラシ２５、２６及び水車２４を部分的に覆うようにして、ケーシング２１に固定されている。このような飛散防止カバー３０によって、洗浄装置１を操作する作業者側や洗浄装置１による洗浄対象でない部位に洗浄水が飛散することなどを抑制することが可能となる。
【００２９】
このように構成された洗浄装置１では、把手部３の先端側のノズル２２ａから放出される洗浄水によって、一対の回転ブラシ２５、２６を備える回転洗浄体２０を回転駆動させることができる。
【００３０】
したがって、本実施形態の洗浄装置１によれば、作業者が把手部３を保持しつつ鉄道車両の窓ガラスなどに、駆動中の回転洗浄体２０における各回転ブラシ２５、２６を接触させることで、窓ガラス表面に洗浄水を供給しながら各回転ブラシ２５、２６をこの窓ガラス上で摺動させることができ、これにより、効率的な洗浄作業を行うことができる。
【００３１】
また、本実施形態の洗浄装置１では、各回転ブラシ２５、２６共通の駆動源となる水車２４が、各回転ブラシ２５、２６の間に配置される構造を適用しているので、個々の回転ブラシ２５、２６にバランス良く駆動力が伝達され、優れた洗浄効果を期待できる。
【００３２】
以上、本考案を実施の形態により具体的に説明したが、本考案はこれらの実施形態にのみ限定されるものではなく、その要旨を逸脱しない範囲で変更可能である。
【符号の説明】
【００３３】
１…洗浄装置、３…把手部、５…ブラシユニット、７…水道ホース接続機構、８…水道ホース、９…薬液供給ホース接続機構、１０…洗浄薬液供給用のホース、１２…洗浄薬液収容タンク、１４…分岐管、１５…ストップバルブ、１６…洗浄水切替機構、２１…ケーシング、２１ａ，２１ｂ…腕部、２２…ノズル保持体、２２ａ…ノズル、２２ｂ…保持部材、２２ｃ…開口、２３…回転軸、２４…水車、２４ａ…羽根部、２５，２６…回転ブラシ、２７…ベアリング、２８…軸受フランジ、２９…軸受部、３０…飛散防止カバー、Ｗ…水流。
【図１】
0003151619.tif 000003
【図２】
0003151619.tif 000004
【図３】
0003151619.tif 000005
【手続補正書】
【提出日】平成21年4月17日(2009.4.17)
【手続補正１】
【補正対象書類名】実用新案登録請求の範囲
【補正対象項目名】全文
【補正方法】変更
【補正の内容】
【実用新案登録請求の範囲】
【請求項１】
回転軸と、前記回転軸の中央部に同軸的に固定された水車と、前記回転軸の両端部を露出させるようにして前記回転軸上の前記水車を挟んだ両側にそれぞれ固定された一対の回転ブラシと、を備えた回転洗浄体と、
前記回転洗浄体の前記回転軸をその両端部を介して回転自在に支持する軸受部を両側の腕部に備えたフレームと、
先端側の開口から洗浄水が放出されるノズルと、前記水車に前記開口を向けて前記ノズルを前記フレーム上に保持する保持部材と、を備えたノズル保持体と、
を具備することを特徴とする洗浄装置。
【請求項２】
前記ノズルの基端部側には、前記洗浄水の供給路を内部に備える管状の把手部が連結されている、
ことを特徴とする請求項１記載の洗浄装置。
【請求項３】
前記水車及び前記一対の回転ブラシをそれぞれ部分的に覆う洗浄水飛散防止用のカバー部材、
をさらに具備することを特徴とする請求項１又は２記載の洗浄装置。
【請求項４】
水道ホースを前記把手部の基端部側に接続する第１のホース接続機構と、
洗浄薬液供給用のホースを前記把手部の中間部分に接続する第２のホース接続機構と、
をさらに具備することを特徴とする請求項２記載の洗浄装置。